(57)【要約】【課題】信号処理装置と映像表示装置との組合せに応じて適正に映像を表示できる映像表示システム、および映像表示装置を提供する。【解決手段】映像表示装置２００は、信号処理装置１００からの変換映像信号に含まれる処理側基準信号を抽出する基準信号抽出部２１と、表示側基準信号を生成する表示側基準信号生成部２２と、処理側基準信号と表示側基準信号との信号レベルの差である誤差データを生成する基準信号比較部２６２と、誤差データに基づく補正データを生成し、記憶するとともに、信号処理装置１００からの変換映像信号の信号レベルを補正データに応じた信号レベルに変換し、補正映像信号として出力する映像信号補正部２１０と、補正映像信号をディスプレイ（ＰＤＰ２９９）を駆動するための信号に変換するディスプレイ駆動部（ＰＤＰ駆動部２８）とを備える。【選択図】図１
2006317858.tif 000002
【特許請求の範囲】
【請求項１】
映像信号に対して信号処理を施し、信号処理された映像信号を変換映像信号として出力する信号処理装置と、前記変換映像信号が供給され、前記変換映像信号に対して映像表示処理を施すことで、映像を表示するディスプレイを駆動するための表示駆動信号を生成する映像表示装置とを有した映像表示システムであって、
前記信号処理装置は、
所定の基準信号である処理側基準信号を含む映像信号を供給する映像信号供給部と、
前記映像信号に対して、前記映像信号における信号のレベル変換を少なくとも伴なう信号処理を施し、前記信号処理された映像信号である変換映像信号を生成する映像信号処理部とを備え、
前記映像表示装置は、
前記信号処理装置から供給された変換映像信号に含まれる処理側基準信号を抽出する基準信号抽出部と、
所定の基準信号である表示側基準信号を生成する基準信号生成部と、
前記基準信号抽出部で抽出した処理側基準信号と前記基準信号生成部で生成した表示側基準信号との信号レベルを比較し、前記処理側基準信号と前記表示側基準信号との信号レベルの差を示す誤差データを生成する基準信号比較部と、
前記誤差データに基づく補正データを生成し、その補正データを記憶するとともに、前記信号処理装置からの変換映像信号に対して、前記変換映像信号の信号レベルを前記補正データに応じた信号レベルに変換し、この変換された信号を補正映像信号として出力する映像信号補正部と、
前記映像信号補正部が実行する各処理を制御するためのタイミングを示すレベル設定期間信号を生成するタイミング生成部と、
前記映像信号補正部からの補正映像信号をディスプレイを駆動するための表示駆動信号に変換するディスプレイ駆動部とを備え、
前記処理側基準信号と前記表示側基準信号とは、それぞれが同一の標準輝度、または標準彩度に対応した一つ以上の階調レベルを含み、
前記映像信号補正部は、前記レベル設定期間信号に応じて、前記レベル設定期間信号が補正データの生成処理を示すとき、前記誤差データに基づく補正データを生成し、前記レベル設定期間信号が信号レベル変換処理を示すとき、前記信号処理装置からの変換映像信号に対して、前記変換映像信号の信号レベルを前記補正データに応じた信号レベルに変換することを特徴とする映像表示システム。
【請求項２】
映像信号に対して信号処理を施し、信号処理された映像信号を変換映像信号として出力する信号処理装置と、前記変換映像信号が供給され、前記変換映像信号に対して映像表示処理を施すことで、映像を表示するディスプレイを駆動するための表示駆動信号を生成する映像表示装置とを有した映像表示システムであって、
前記信号処理装置は、
所定の基準信号である処理側基準信号を含む映像信号を供給する映像信号供給部と、
前記映像信号に対して、前記映像信号における信号のレベル変換を少なくとも伴なう信号処理を施し、前記信号処理された映像信号である変換映像信号を生成する映像信号処理部とを備え、
前記映像表示装置は、
前記信号処理装置から供給された変換映像信号に含まれる処理側基準信号を抽出する基準信号抽出部と、
前記信号処理装置から供給された変換映像信号に対して、前記変換映像信号の信号レベルを補正データに応じた信号レベルに変換し、この変換された信号を補正映像信号として出力する映像信号補正部と、
前記基準信号抽出部で抽出された処理側基準信号と前記映像信号補正部で補正された補正映像信号とのいずれかを選択するセレクタと、
前記セレクタで選択された信号をディスプレイを駆動するための表示駆動信号に変換するディスプレイ駆動部と、
前記表示駆動信号の信号レベルを検出する駆動信号レベル検出部と、
前記表示駆動信号の信号レベルに関するデータを基準駆動データとしてあらかじめ記憶するとともに、前記駆動信号レベル検出部で検出された前記表示駆動信号の信号レベルが計測駆動データとして記録される駆動データメモリと、
前記基準駆動データと前記計測駆動データとに基づき、前記映像信号補正部で前記変換映像信号の信号レベルを補正するための補正データを生成する補正データ生成部とを備え、
前記駆動信号レベル検出部は、前記セレクタが選択した処理側基準信号に対する前記表示駆動信号の信号レベルを検出し、前記計測駆動データとして前記駆動データメモリに記録することを特徴とする映像表示システム。
【請求項３】
所定の基準信号である処理側基準信号を含む映像信号に対して、前記映像信号における信号のレベル変換を少なくとも伴なう信号処理を施し、信号処理された映像信号を変換映像信号として出力する信号処理装置と、前記変換映像信号が供給され、前記変換映像信号に対して映像表示処理を施すことで、映像を表示するディスプレイを駆動するための表示駆動信号を生成する映像表示装置とを有した映像表示システムの前記映像表示装置であって、
前記映像表示装置は、
前記信号処理装置から供給された変換映像信号に含まれる処理側基準信号を抽出する基準信号抽出部と、
所定の基準信号である表示側基準信号を生成する基準信号生成部と、
前記基準信号抽出部で抽出した処理側基準信号と前記基準信号生成部で生成した表示側基準信号との信号レベルを比較し、前記処理側基準信号と前記表示側基準信号との信号レベルの差を示す誤差データを生成する基準信号比較部と、
前記信号処理装置から供給された変換映像信号に対し、前記誤差データに基づき生成した補正データに応じて、前記変換映像信号の信号レベルを変換し、この変換された信号を補正映像信号として出力する映像信号補正部と、
前記映像信号補正部が実行する各処理を制御するためのタイミングを示すレベル設定期間信号を生成するタイミング生成部と、
前記映像信号補正部からの補正映像信号をディスプレイを駆動するための表示駆動信号に変換するディスプレイ駆動部とを備え、
前記処理側基準信号と前記表示側基準信号とは、それぞれが同一の標準輝度、または標準彩度に対応した一つ以上の階調レベルを含み、
前記映像信号補正部は、前記レベル設定期間信号に応じて、前記レベル設定期間信号が補正データの生成処理を示すとき、前記誤差データに基づく補正データを生成し、前記レベル設定期間信号が信号レベル変換処理を示すとき、前記信号処理装置からの変換映像信号に対して、前記変換映像信号の信号レベルを前記補正データに応じた信号レベルに変換することを特徴とする映像表示装置。
【請求項４】
前記映像信号補正部は、前記誤差データに基づき補正データを生成し、その補正データを記憶するとともに、前記信号処理装置からの変換映像信号に対して、前記変換映像信号の信号レベルを前記補正データに応じた信号レベルに変換し、この変換された信号を補正映像信号として出力することを特徴とする請求項３記載の映像表示装置。
【請求項５】
前記映像信号補正部は、前記誤差データと前記変換映像信号の各映像データとに基づき変換データを生成し、その変換データを記憶するとともに、前記信号処理装置からの変換映像信号に対して、前記変換映像信号の信号レベルを前記変換データの信号レベルに変換し、この変換された信号を補正映像信号として出力することを特徴とする請求項３記載の映像表示装置。
【請求項６】
所定の基準信号である処理側基準信号を含む映像信号に対して、前記映像信号における信号のレベル変換を少なくとも伴なう信号処理を施し、信号処理された映像信号を変換映像信号として出力する信号処理装置と、前記変換映像信号が供給され、前記変換映像信号に対して映像表示処理を施すことで、映像を表示するディスプレイを駆動するための表示駆動信号を生成する映像表示装置とを有した映像表示システムの前記映像表示装置であって、
前記映像表示装置は、
前記信号処理装置から供給された変換映像信号に含まれる処理側基準信号を抽出する基準信号抽出部と、
前記信号処理装置から供給された変換映像信号に対して、前記変換映像信号の信号レベルを補正データに応じた信号レベルに変換し、この変換された信号を補正映像信号として出力する映像信号補正部と、
前記基準信号抽出部で抽出された処理側基準信号と前記映像信号補正部で補正された補正映像信号とのいずれかを選択するセレクタと、
前記セレクタで選択された信号をディスプレイを駆動するための表示駆動信号に変換するディスプレイ駆動部と、
前記表示駆動信号の信号レベルを検出する駆動信号レベル検出部と、
前記表示駆動信号の信号レベルに関するデータを基準駆動データとしてあらかじめ記憶するとともに、前記駆動信号レベル検出部で検出された前記表示駆動信号の信号レベルが計測駆動データとして記録される駆動データメモリと、
前記基準駆動データと前記計測駆動データとに基づき、前記映像信号補正部で前記変換映像信号の信号レベルを補正するための補正データを生成する補正データ生成部とを備え、
前記駆動信号レベル検出部は、前記セレクタが選択した処理側基準信号に対する前記表示駆動信号の信号レベルを検出し、前記計測駆動データとして前記駆動データメモリに記録することを特徴とする映像表示装置。
【請求項７】
前記映像を表示するディスプレイは、プラズマディスプレイであり、
前記ディスプレイ駆動部は、前記プラズマディスプレイの発光をパルス数に基づきオン制御またはオフ制御する前記表示駆動信号により前記プラズマディスプレイを駆動し、
前記駆動信号レベル検出部は、前記表示駆動信号のパルス数を計測することで、前記表示駆動信号の信号レベルを検出することを特徴とする請求項６記載の映像表示装置。
【請求項８】
前記映像信号補正部は、前記誤差データ生成部で生成した補正データを記憶するとともに、前記信号処理装置からの変換映像信号に対して、前記変換映像信号の信号レベルを前記補正データに応じた信号レベルに変換し、この変換された信号を補正映像信号として出力することを特徴とする請求項７記載の映像表示装置。
【請求項９】
前記映像信号補正部は、前記補正データ生成部で生成した補正データと前記変換映像信号の各映像データとに基づき変換データを生成し、その変換データを記憶するとともに、前記信号処理装置からの変換映像信号に対して、前記変換映像信号の信号レベルを前記変換データの信号レベルに変換し、この変換された信号を補正映像信号として出力することを特徴とする請求項７記載の映像表示装置。
【請求項１０】
所定の基準信号である処理側基準信号を含む映像信号に対して、前記映像信号における信号のレベル変換を少なくとも伴なう信号処理を施し、信号処理された映像信号を変換映像信号として出力する信号処理装置と、前記変換映像信号が供給され、前記変換映像信号に対して映像表示処理を施すことで、映像を表示するディスプレイを駆動するための表示駆動信号を生成する映像表示装置とを有した映像表示システムにおける前記映像表示装置の映像表示方法であって、
前記信号処理装置から供給された変換映像信号に含まれる処理側基準信号を抽出するステップと、
所定の基準信号である表示側基準信号を生成するステップと、
前記変換映像信号が前記処理側基準信号のとき、前記抽出した処理側基準信号と前記生成した表示側基準信号との信号レベルを比較し、前記処理側基準信号と前記表示側基準信号との信号レベルの差を示す誤差データを生成するステップと、
前記変換映像信号が前記処理側基準信号以外のとき、
前記誤差データに基づき生成した補正データに応じて、前記変換映像信号の信号レベルを変換し、この変換された信号を補正映像信号として出力するステップと、
前記映像信号補正部からの補正映像信号をディスプレイを駆動するための表示駆動信号に変換するステップとを備え、
前記処理側基準信号と前記表示側基準信号とは、それぞれが同一の標準輝度、または標準彩度に対応した一つ以上の階調レベルを含むことを特徴とする映像表示方法。
【請求項１１】
所定の基準信号である処理側基準信号を含む映像信号に対して、前記映像信号における信号のレベル変換を少なくとも伴なう信号処理を施し、信号処理された映像信号を変換映像信号として出力する信号処理装置と、前記変換映像信号が供給され、前記変換映像信号に対して映像表示処理を施すことで、映像を表示するディスプレイを駆動するための表示駆動信号を生成する映像表示装置とを有した映像表示システムにおける前記映像表示装置の映像表示方法であって、
前記信号処理装置から供給された変換映像信号に含まれる処理側基準信号を抽出するステップと、
前記信号処理装置から供給された変換映像信号に対して、前記変換映像信号の信号レベルを補正データに応じた信号レベルに変換し、この変換された信号を補正映像信号として出力するステップと、
前記抽出した処理側基準信号と前記補正した補正映像信号とのいずれかを選択するステップと、
前記選択した信号をディスプレイを駆動するための表示駆動信号に変換するステップと、
前記表示駆動信号の信号レベルを検出するステップと、
前記表示駆動信号の信号レベルに関するデータを基準駆動データとしてあらかじめ記憶するとともに、前記検出した表示駆動信号の信号レベルが計測駆動データとして記録するステップと、
前記基準駆動データと前記計測駆動データとに基づき、前記変換映像信号の信号レベルを補正するための前記補正データを生成するステップとを備え、
前記表示駆動信号の信号レベルを検出するとき、前記選択した処理側基準信号に対する前記表示駆動信号の信号レベルを検出し、前記計測駆動データとして記録することを特徴とする映像表示方法。
【発明の詳細な説明】
【技術分野】
【０００１】
本発明は、映像をディスプレイに表示させるための映像表示システム、映像表示装置および映像表示方法に関し、特に、信号処理装置と表示装置とが分離された型式の映像表示システム、その映像表示システムにおける映像表示装置、および映像表示方法に関する。
【背景技術】
【０００２】
近年、液晶ディスプレイやプラズマディスプレイなどの映像表示装置においては、様々な信号入力インターフェイスを備えるとともに装置の小型化、スリム化が求められている。このため、こうした映像表示装置にあっては、映像表示装置の信号処理部と表示部とを別体で構成するとともに、信号処理部に信号入力インターフェイスを設け、信号処理部と表示部をケーブル等により接続して表示部をシンプルに構成したものが知られている。
【０００３】
従来、このような信号処理部と表示部とを別体で構成した映像表示システムとしては、例えば、特許文献１に紹介されている。
【０００４】
図１２は、従来の映像表示システムの構成を示すブロック図である。図１２では、映像を表示するディスプレイとして、プラズマディスプレイパネル（以下、適宜、ＰＤＰと呼ぶ）を用いた構成を示している。
【０００５】
図１２において、映像表示システムは、映像信号に対して、画質改善などのデジタル信号処理を施す信号処理装置９１０と、信号処理装置９１０において処理されたデジタル信号が供給され、この供給されたデジタル信号に基づきＰＤＰを駆動し、ＰＤＰに映像を表示する映像表示装置９２０とを有し、さらに、信号処理装置９１０と映像表示装置９２０とは、接続ケーブル９５０により接続されている。
【０００６】
信号処理装置９１０は、パーソナルコンピュータやテレビジョン受信器等からのアナログ映像信号を多ビット数のデジタル映像信号に変換するＡＤコンバータ９１５と、ＤＶＩ（Ｄｉｇｉｔａｌ  Ｖｉｓｕａｌ  Ｉｎｔｅｒｆａｃｅ）やＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）など、フラットパネルディスプレイとビデオカード間のデジタル伝送方式であるＴＭＤＳ（Ｔｒａｎｓｍｉｓｓｉｏｎ  Ｍｉｎｉｍｉｚｅｄ  Ｄｉｆｆｅｒｅｎｔｉａｌ  Ｓｉｇｎａｌｉｎｇ）規格に基づくデジタル映像信号を、多ビット数のデジタル映像信号に変換するＴＭＤＳ受信回路９１６を備える。また、ＡＤコンバータ９１５やＴＭＤＳ受信回路９１６から出力されるデジタル映像信号は、映像信号処理部９１７に供給される。映像信号処理部９１７は、供給されたデジタル映像信号に対し、映像表示装置９２０の解像度に対応したスケーリング処理やインタレース−プログレッシブ変換（ＩＰ変換）処理を行なう。また、映像信号処理部９１７で行なわれる各種補正データは、映像表示システム全体の制御を行なうメインマイコン９１３により、各種データを格納するメモリ９１４に記録される。
【０００７】
また、図１２において、映像表示装置９２０には、接続ケーブル９５０を介して信号処理されたデジタル映像信号が供給される。映像表示装置９２０において、信号処理装置９１０からのデジタル映像信号は、ＰＤＰドライバ９２１に供給される。ＰＤＰドライバ９２１は、供給されたデジタル映像信号に基づき、ＰＤＰ９２２を駆動するためのＰＤＰ駆動信号を生成し、このＰＤＰ駆動信号によりＰＤＰ９２２を駆動する。ＰＤＰ９２２は、信号処理装置９１０からのデジタル映像信号をもとに１フィールド分を複数のサブフィールドに分割し、それぞれのサブフィールドに所定の輝度重みをもたせて発光するＰＤＰである。また、映像表示装置９２０は、映像表示装置９２０の制御を行なうサブマイコン９２３、および映像表示装置９２０ごとに異なる補正データや映像表示装置９２０を識別するための識別データを格納しているメモリ９２４を備える。すなわち、メモリ９２４には、例えば、製造番号のようなその装置固有の識別データと、映像表示装置９２０ごとに異なったその装置固有の補正データとが格納されている。
【０００８】
さらに、図１２に示す従来の映像表示システムにおいて、接続ケーブル９５０には、デジタル映像信号の接続ラインとともに、マイコン間の通信を行なうための通信ラインが設けられている。これにより、信号処理装置９１０のメインマイコン９１３と、映像表示装置９２０のサブマイコン９２３とは、接続ケーブル９５０の通信ラインを介して通信を行ない、例えば、サブマイコン９２３は、メインマイコン９１３から接続ケーブル９５０の通信ラインを介して伝送されてくる指示信号等に基づいて映像表示装置９２０の制御を行なう。
【０００９】
このように構成された従来の映像表示システムにおいて、映像表示装置９２０のメモリ９２４には、ＰＤＰドライバ９２１やＰＤＰ９２２などの特性に応じて、信号処理装置９１０からのデジタル映像信号の信号レベルを補正する表示側補正データが記憶されている。また、信号処理装置９１０のメモリ９１４は、映像信号処理部９１７で行なわれる処理の各種補正データを記憶している。すなわち、従来の映像表示システムは、例えば、製造時、ＰＤＰ９２２において適正な映像表示が行なわれるように、映像表示装置９２０のメモリ９２４には表示側補正データが記憶され、さらに、信号処理装置９１０と映像表示装置９２０との組合せにおいても適正な映像表示が行なわれるように、信号処理装置９１０のメモリ９１４には処理側補正データが記憶される。
【００１０】
以上のように、通常、信号処理装置９１０と映像表示装置９２０とは、補正データにより適正に補正された状態で映像が表示される。一方、このような映像表示システムにおいては、例えば、ユーザが映像表示装置９２０と同一タイプの映像表示装置を複数所持しているような場合など、製造時の信号処理装置９１０と映像表示装置９２０との組合せとは異なった組合せ状態でユーザに利用される場合がある。
【００１１】
このような異なった組合せの状態に対処するため、従来の映像表示システムは、メインマイコン９１３とサブマイコン９２３とが通信を行なうとともに、装置どうしの組合せが換わった場合などに対処するためのデータを転送するような構成としている。すなわち、メインマイコン９１３は、信号処理装置９１０と映像表示装置９２０との接続関係が切り替わったことを検知すると、サブマイコン９２３に対して、メモリ９２４に格納された表示側補正データを転送するよう指示する。サブマイコン９２３は、この指示に応答して、メモリ９２４に格納された表示側補正データを、接続ケーブル９５０の通信ラインを通じてメインマイコン９１３に転送する。メインマイコン９１３は、この表示側補正データをメモリ９１４に格納するとともに、この表示側補正データを利用して、映像信号処理部９１７に対して所定の制御を行なう。このように、信号処理装置９１０に接続される映像表示装置９２０が換わっても、信号処理装置９１０において、接続が換えられた映像表示装置９２０の特性に応じて補正を施すことができるので、信号処理装置９１０と映像表示装置９２０との組合せが換わった場合であっても、映像表示装置９２０において適正な映像が表示できる。
【特許文献１】特開２００３−１９５８４６号公報
【発明の開示】
【発明が解決しようとする課題】
【００１２】
しかしながら、上述した従来の構成では、信号処理装置９１０と映像表示装置９２０との組合せに応じて適正に映像が表示できるように、デジタル信号レベルなどを補正する補正データを信号処理装置９１０と映像表示装置９２０との間で転送する必要があるため、接続ケーブル９５０には、デジタル映像信号の接続ラインに加えて、マイコン間の通信を行なうための通信ラインなどを設けなければならず、さらに、各装置には、このような通信を行なうための回路ブロックや通信プログラムを追加する必要があった。このため、信号処理装置９１０と映像表示装置９２０との装置間接続が複雑となり、ユーザの使い勝手が低下したり、コストアップにつながるなどの課題があった。
【００１３】
すなわち、例えば、電源起動時ごとにメインマイコン９１３とサブマイコン９２３との通信が必要なため、電源起動時における待ち時間が増加したり、接続ケーブル９５０のケーブル仕様や通信フォーマットが共通ではない装置どうしの組合せでは接続できないため、個々の組合せに対するユーザ設定などが必要となり、ユーザに対する使い勝手が低下するという課題があった。さらに、接続ケーブル９５０のケーブル仕様や通信フォーマットが、この映像表示システムに限定されてしまうため、信号処理装置と映像表示装置との組合せにおいて、汎用性の低下を招き、これによってもユーザの使い勝手が低下するという課題があった。また、各装置においてマイコンの通信を行なうための回路ブロックが必要となるためハードウェア量が増加するとともに、マイコンの通信を行なうための通信プログラムなども必要となるためソフトウェア量も増加し、これによって装置のコストアップにつながるなどの課題もあった。
【００１４】
本発明は、上記課題を解決するためになされたもので、ハードウェア量やソフトウェア量の増加を招くことなく、簡易な構成で、信号処理装置と映像表示装置との組合せに応じて適正に映像を表示できることを可能とした映像表示システム、映像表示装置および映像表示方法を提供することを目的とする。
【課題を解決するための手段】
【００１５】
上述したような課題を解決するために、本発明の映像表示システムは、映像信号に対して信号処理を施し、信号処理された映像信号を変換映像信号として出力する信号処理装置と、変換映像信号が供給され、変換映像信号に対して映像表示処理を施すことで、映像を表示するディスプレイを駆動するための表示駆動信号を生成する映像表示装置とを有した映像表示システムである。さらに、本発明の信号処理装置は、所定の基準信号である処理側基準信号を含む映像信号を供給する映像信号供給部と、映像信号に対して、映像信号における信号のレベル変換を少なくとも伴なう信号処理を施し、信号処理された映像信号である変換映像信号を生成する映像信号処理部とを備える。さらに、本発明の映像表示装置は、信号処理装置から供給された変換映像信号に含まれる処理側基準信号を抽出する基準信号抽出部と、所定の基準信号である表示側基準信号を生成する基準信号生成部と、基準信号抽出部で抽出した処理側基準信号と基準信号生成部で生成した表示側基準信号との信号レベルを比較し、処理側基準信号と表示側基準信号との信号レベルの差を示す誤差データを生成する基準信号比較部と、誤差データに基づく補正データを生成し、その補正データを記憶するとともに、信号処理装置からの変換映像信号に対して、変換映像信号の信号レベルを補正データに応じた信号レベルに変換し、この変換された信号を補正映像信号として出力する映像信号補正部と、映像信号補正部が実行する各処理を制御するためのタイミングを示すレベル設定期間信号を生成するタイミング生成部と、映像信号補正部からの補正映像信号をディスプレイを駆動するための表示駆動信号に変換するディスプレイ駆動部とを備え、処理側基準信号と表示側基準信号とは、それぞれが同一の標準輝度、または標準彩度に対応した一つ以上の階調レベルを含み、映像信号補正部は、レベル設定期間信号に応じて、レベル設定期間信号が補正データの生成処理を示すとき、誤差データに基づく補正データを生成し、レベル設定期間信号が信号レベル変換処理を示すとき、信号処理装置からの変換映像信号に対して、変換映像信号の信号レベルを補正データに応じた信号レベルに変換する構成である。
【００１６】
また、本発明の映像表示システムは、映像信号に対して信号処理を施し、信号処理された映像信号を変換映像信号として出力する信号処理装置と、変換映像信号が供給され、変換映像信号に対して映像表示処理を施すことで、映像を表示するディスプレイを駆動するための表示駆動信号を生成する映像表示装置とを有した映像表示システムである。さらに、本発明の信号処理装置は、所定の基準信号である処理側基準信号を含む映像信号を供給する映像信号供給部と、映像信号に対して、映像信号における信号のレベル変換を少なくとも伴なう信号処理を施し、信号処理された映像信号である変換映像信号を生成する映像信号処理部とを備える。さらに、本発明の映像表示装置は、信号処理装置から供給された変換映像信号に含まれる処理側基準信号を抽出する基準信号抽出部と、信号処理装置から供給された変換映像信号に対して、変換映像信号の信号レベルを補正データに応じた信号レベルに変換し、この変換された信号を補正映像信号として出力する映像信号補正部と、基準信号抽出部で抽出された処理側基準信号と映像信号補正部で補正された補正映像信号とのいずれかを選択するセレクタと、セレクタで選択された信号をディスプレイを駆動するための表示駆動信号に変換するディスプレイ駆動部と、表示駆動信号の信号レベルを検出する駆動信号レベル検出部と、表示駆動信号の信号レベルに関するデータを基準駆動データとしてあらかじめ記憶するとともに、駆動信号レベル検出部で検出された表示駆動信号の信号レベルが計測駆動データとして記録される駆動データメモリと、基準駆動データと計測駆動データとに基づき、映像信号補正部で変換映像信号の信号レベルを補正するための補正データを生成する補正データ生成部とを備え、駆動信号レベル検出部は、セレクタが選択した処理側基準信号に対する表示駆動信号の信号レベルを検出し、計測駆動データとして駆動データメモリに記録する構成である。
【００１７】
さらに、本発明の映像表示方法は、所定の基準信号である処理側基準信号を含む映像信号に対して、映像信号における信号のレベル変換を少なくとも伴なう信号処理を施し、信号処理された映像信号を変換映像信号として出力する信号処理装置と、変換映像信号が供給され、変換映像信号に対して映像表示処理を施すことで、映像を表示するディスプレイを駆動するための表示駆動信号を生成する映像表示装置とを有した映像表示システムにおける映像表示装置の映像表示方法であって、信号処理装置から供給された変換映像信号に含まれる処理側基準信号を抽出するステップと、所定の基準信号である表示側基準信号を生成するステップと、変換映像信号が処理側基準信号のとき、抽出した処理側基準信号と生成した表示側基準信号との信号レベルを比較し、処理側基準信号と表示側基準信号との信号レベルの差を示す誤差データを生成するステップと、変換映像信号が処理側基準信号以外のとき、誤差データに基づき生成した補正データに応じて、変換映像信号の信号レベルを変換し、この変換された信号を補正映像信号として出力するステップと、映像信号補正部からの補正映像信号をディスプレイを駆動するための表示駆動信号に変換するステップとを備え、処理側基準信号と表示側基準信号とは、それぞれが同一の標準輝度、あるいは標準彩度に対応した一つ以上の階調レベルを含む。
【００１８】
さらに、本発明の映像表示方法は、所定の基準信号である処理側基準信号を含む映像信号に対して、映像信号における信号のレベル変換を少なくとも伴なう信号処理を施し、信号処理された映像信号を変換映像信号として出力する信号処理装置と、変換映像信号が供給され、変換映像信号に対して映像表示処理を施すことで、映像を表示するディスプレイを駆動するための表示駆動信号を生成する映像表示装置とを有した映像表示システムにおける映像表示装置の映像表示方法であって、信号処理装置から供給された変換映像信号に含まれる処理側基準信号を抽出するステップと、信号処理装置から供給された変換映像信号に対して、変換映像信号の信号レベルを補正データに応じた信号レベルに変換し、この変換された信号を補正映像信号として出力するステップと、抽出した処理側基準信号と補正した補正映像信号とのいずれかを選択するステップと、選択した信号を、ディスプレイを駆動するための表示駆動信号に変換するステップと、表示駆動信号の信号レベルを検出するステップと、表示駆動信号の信号レベルに関するデータを基準駆動データとしてあらかじめ記憶するとともに、検出した表示駆動信号の信号レベルが計測駆動データとして記録するステップと、基準駆動データと計測駆動データとに基づき、変換映像信号の信号レベルを補正するための補正データを生成するステップとを備え、表示駆動信号の信号レベルの検出するとき、選択した処理側基準信号に対する表示駆動信号の信号レベルを検出し、計測駆動データとして記録する。
【発明の効果】
【００１９】
本発明の映像表示システム、映像表示装置、および映像表示方法は、信号処理装置からの映像信号に含めた処理側基準信号を利用して補正データを生成しているため、本発明の映像表示システム、映像表示装置、および映像表示方法によれば、信号処理装置と映像表示装置との間での通信や補正データなどの転送は必要なく、このため、ハードウェア量やソフトウェア量の増加を招くことなく、簡易な構成で、信号処理装置と映像表示装置との組合せに応じて適正に映像を表示できる映像表示システム、映像表示装置、および映像表示方法を提供することができる。
【発明を実施するための最良の形態】
【００２０】
以下、本発明の実施の形態について図面を参照しながら詳細に説明する。
【００２１】
（実施の形態１）
図１は、本発明の実施の形態１における映像表示システムの構成を示すブロック図である。
【００２２】
本実施の形態では、映像信号に対して信号処理を施し、信号処理された映像信号を変換映像信号として出力する信号処理装置１００と、変換映像信号が供給され、変換映像信号に対して映像表示処理を施すことで、映像を表示するディスプレイを駆動するための表示駆動信号を生成する映像表示装置２００と、信号処理装置１００から映像表示装置２００に対して変換映像信号を伝送する接続ケーブル１５０とを有した映像表示システムの一例を挙げて説明する。このように、本実施の形態における映像表示システムは、信号処理を施す信号処理装置１００と映像を表示する映像表示装置２００とが別体であり、信号処理装置１００と映像表示装置２００とは接続ケーブル１５０により信号接続される構成である。
【００２３】
図１に示すように、信号処理装置１００は、所定の基準信号である処理側基準信号を生成する処理側基準信号生成部１１と、この処理側基準信号を含む映像信号を供給する映像信号供給部１２と、この映像信号に対して、映像信号における信号のレベル変換を少なくとも伴なう信号処理を施し、信号処理された映像信号である変換映像信号を生成する映像信号処理部１０１とを備えている。
【００２４】
図１において、処理側基準信号生成部１１は、例えば、標準映像信号として知られるカラーバー信号やランプ信号など、標準輝度、あるいは標準彩度に対応した一つ以上の階調レベルを含む映像信号を、所定の基準信号である処理側基準信号として生成する。
【００２５】
映像信号供給部１２は、映像表示装置２００で表示するための映像信号を供給する。映像信号供給部１２はこのような映像信号を供給するため、例えば、テレビジョン受信器などから映像信号を入力する信号入力インターフェイス１２２を備えている。また、信号入力インターフェイス１２２には、例えば、ＴＭＤＳ規格に基づくデジタル映像信号が供給されるような形態を含めてもよい。さらに、図１では、映像信号供給部１２がテレビジョン放送信号を受信し、復調する受信部１２１を有し、これによって信号処理装置１００自体でテレビジョン放送の映像信号も供給可能な構成例を示している。
【００２６】
また、映像信号供給部１２は、信号入力インターフェイス１２２や受信部１２１からの映像信号に処理側基準信号生成部１１からの処理側基準信号を含めた映像信号を、映像信号処理部１０１に供給する。
【００２７】
なお、映像信号供給部１２の映像信号に処理側基準信号を含めるタイミングとしては、例えば、電源起動時において、処理側基準信号を映像信号処理部１０１に供給し、その後、信号入力インターフェイス１２２や受信部１２１からの映像信号を映像信号処理部１０１に供給するようなタイミングであってもよく、また、信号入力インターフェイス１２２や受信部１２１からの映像信号の垂直ブランキング期間などに処理側基準信号を挿入して映像信号処理部１０１に供給するようなタイミングであってもよい。また、本実施の形態では、処理側基準信号を生成するための処理側基準信号生成部１１を有した構成例を挙げて説明するが、例えば、信号入力インターフェイス１２２に供給される映像信号にカラーバー信号などの標準映像信号が含まれており、このような標準映像信号を処理側基準信号として利用するような構成であってもよい。また、アナログテレビジョン放送においては、映像信号の垂直同期信号期間に標準映像信号を挿入して放送するような放送形態がある。受信部１２１で復元されたこのようなテレビジョン放送に含まれる標準映像信号を、処理側基準信号として利用するような構成であってもよい。
【００２８】
映像信号処理部１０１は、処理側基準信号を含む映像信号に対して、信号のレベル変換を少なくとも伴なうデジタル信号処理を施し、信号処理された映像信号である変換映像信号を生成する。映像信号処理部１０１は、このようなデジタル処理を行なうため、まず、供給される映像信号がアナログ映像信号である場合、ＡＤコンバータなどにより、このアナログ映像信号をデジタル映像信号である映像データに変換する。さらに、映像信号処理部１０１は、デジタル映像信号である映像データに対して、例えば、走査線数を倍にするようなインタレース−プログレッシブ変換（ＩＰ変換）などのデジタル信号処理を施す。
【００２９】
ところで、このようなデジタル信号処理を行なう場合、デジタル映像信号は、例えば、１画素を８ビットのデータとするような映像データとして処理される。すなわち、映像信号供給部１２からのアナログ映像信号は、アナログ映像信号の信号レベルに応じた数値で表現される映像データとして処理される。より具体的には、例えば、映像信号における輝度信号が８ビットの映像データとして処理される場合、輝度信号は、例えば、最も暗い状態を示す黒レベルを数値０とし、最も明るい状態を示す白レベルを数値２５５とするような、最大２５６階調数の輝度階調レベルで表現される。また、各階調レベルを表現する階調数は、デジタル信号処理の内容によって異なった階調数が利用される。すなわち、例えば、映像信号処理部１０１に入力される輝度信号が、例えば、黒レベルを数値０とし、白レベルを数値２５５とするような、最大２５６階調数の輝度階調レベルで表現される８ビット映像データであっても、処理の内容に応じて、処理された輝度信号は、例えば、黒レベルを数値０とし、白レベルを数値１９９とするような、最大２００階調数の輝度階調レベルで表現される８ビットの映像データとして出力されるような構成とする場合がある。さらに、映像信号処理部１０１に含まれるＡＤコンバータなどのばらつきなどにより、同一のアナログ映像信号に対して同一のデジタル信号処理を施しても、個々の信号処理装置１００間で、わずかながら各階調レベルや階調数が異なる。
【００３０】
このため、映像信号処理部１０１によるデジタル信号処理では、デジタル信号処理の処理内容に応じた信号のレベル変換とともに、個々の信号処理装置１００のばらつきなどによる信号のレベル変換がなされた変換映像信号が生成され、出力されることとなる。
【００３１】
なお、映像信号処理部１０１において、処理されるデジタル映像信号の形態として、輝度信号と色差信号とで構成されるコンポーネント信号であってもよく、また色の３原色である赤緑青それぞれの明るさを示すＲＧＢ信号であってもよい。以下、映像信号における輝度信号を代表して説明するが、コンポーネント信号の場合は、色差信号に対しても輝度信号と同様の処理を行ない、また、ＲＧＢ信号の場合も各色信号に対して輝度信号と同様の処理を行なうものとする。
【００３２】
以上、信号処理装置１００からは、処理側基準信号を含む映像信号に対して信号のレベル変換を伴なったデジタル信号処理を施した映像信号である変換映像信号が出力される。信号処理装置１００から出力された変換映像信号は、接続ケーブル１５０を介して、映像表示装置２００に供給される。
【００３３】
次に、図１に示すように、映像表示装置２００は、接続ケーブル１５０を介して、信号処理装置１００から供給された変換映像信号に含まれる処理側基準信号を抽出する基準信号抽出部２１と、所定の基準信号である表示側基準信号を生成する基準信号生成部としての表示側基準信号生成部２２と、基準信号抽出部２１で抽出した処理側基準信号と表示側基準信号生成部２２で生成した表示側基準信号との信号レベルを比較し、処理側基準信号と表示側基準信号との信号レベルの差を示す誤差データを生成する基準信号比較部２６２と、誤差データに基づく補正データを生成し、その補正データを記憶するとともに、信号処理装置１００からの変換映像信号に対して、変換映像信号の信号レベルを補正データに応じた信号レベルに変換し、この変換された信号を補正映像信号として出力する映像信号補正部２１０と、映像信号補正部２１０が実行する各処理を制御するためのタイミングを示すレベル設定期間信号を生成するタイミング生成部２６１と、映像信号補正部２１０からの補正映像信号をディスプレイを駆動するための表示駆動信号に変換するディスプレイ駆動部としてのＰＤＰ駆動部２８と、ＰＤＰ駆動部２８からの表示駆動信号に応じた映像を表示するディスプレイであるプラズマディスプレイパネル（以下、適宜、ＰＤＰと呼ぶ）２９９とを備えている。
【００３４】
図１において、タイミング生成部２６１は、信号処理装置１００から供給された変換映像信号に含まれる同期信号や同期用のパルスなどを抽出し、各処理を実行するためのタイミング信号を生成する。タイミング生成部２６１は、変換映像信号に含まれる同期信号から、変換映像信号に含まれる処理側基準信号の期間を示す処理側基準信号抽出パルスを生成し基準信号抽出部２１に出力する。また、タイミング生成部２６１は、映像信号補正部２１０が実行する各処理を制御するためのタイミングを示すレベル設定期間信号を生成し、映像信号補正部２１０に出力する。
【００３５】
基準信号抽出部２１は、タイミング生成部２６１からの処理側基準信号抽出パルスが処理側基準信号の供給期間であることを示すとき、信号処理装置１００から供給された変換映像信号に含まれる処理側基準信号を抽出する。
【００３６】
表示側基準信号生成部２２は、例えば、標準映像信号として知られるカラーバー信号やランプ信号など、標準輝度、あるいは標準彩度に対応した一つ以上の階調レベルを含む映像信号を、所定の基準信号である表示側基準信号として生成する。なお、映像表示装置２００は、例えば、製造時などにおいて、表示側基準信号生成部２２からの表示側基準信号に対して最も適正にＰＤＰ２９９から映像が表示されるように、例えば、ＰＤＰ駆動部２８などが設定されている。
【００３７】
基準信号比較部２６２は、基準信号抽出部２１で抽出した処理側基準信号と表示側基準信号生成部２２で生成した表示側基準信号との信号レベルを比較し、処理側基準信号と表示側基準信号との信号レベルの差を示す誤差データを生成する。基準信号比較部２６２に供給される処理側基準信号と表示側基準信号とは、例えば、標準映像信号としてのカラーバー信号などそれぞれ同一の標準映像信号が供給される。すなわち、基準信号比較部２６２は、同一の標準映像信号に対する処理側基準信号と表示側基準信号であるそれぞれの映像データの数値を比較し、その比較差に基づく誤差データを生成する。より具体的な一例として、例えば、信号処理装置１００の映像信号処理部１０１は、輝度信号を、黒レベルを数値０とし、白レベルを数値１９９とするような、２００階調数の輝度階調レベルで表現される８ビットの映像データとして出力する場合、例えば、信号処理装置１００から供給される処理側基準信号の最も明るい状態を示す白レベルの映像データは数値１９９となる。一方、表示側基準信号生成部２２で生成される表示側基準信号が、輝度信号において、黒レベルを数値０とし、白レベルを数値２５５とするような、２５６階調数の輝度階調レベルで表現される８ビットの映像データとして出力される場合、例えば、表示側基準信号の最も明るい状態を示す白レベルの映像データは数値２５５となる。このように、例えば、上記白レベルのように同一の標準映像信号の同一レベルであっても、処理側基準信号と表示側基準信号とは、異なった数値である映像データで表現される。基準信号比較部２６２は、このような、同一の標準映像信号の同一レベルに対する、信号処理装置１００側の階調特性と映像表示装置２００側の適正に設定された階調特性との差異を、同一の標準映像信号を利用して検出している。
【００３８】
また、基準信号比較部２６２で利用するそれぞれの基準信号としての標準映像信号は、信号処理装置１００の処理側基準信号生成部１１と表示側基準信号生成部２２とで同一となるようにあらかじめ設定されている。なお、例えば、映像表示装置２００に対して、新たな信号処理装置１００を組合わせた映像表示システムとして利用する場合、新たな信号処理装置１００が処理側基準信号生成部１１を有しない場合がある。このような場合、例えば、アナログテレビジョン放送の垂直同期信号期間に挿入された標準映像信号を利用することで、信号処理装置１００が処理側基準信号生成部１１を有しない場合であっても、映像表示装置２００が信号処理装置１００から、放送に含まれる標準映像信号を処理側基準信号として取込むことが可能となる。
【００３９】
映像信号補正部２１０は、基準信号比較部２６２で生成された誤差データに基づく補正データを生成する補正データ生成部２６３と、その補正データを記憶する補正データメモリ２５と、信号処理装置１００からの変換映像信号に対して、変換映像信号の信号レベルを補正データに応じた信号レベルに変換し、この変換された信号を補正映像信号として出力する補正部２４とを有している。すなわち、基準信号比較部２６２で生成された誤差データは、同一の標準映像信号の同一レベルに対する、信号処理装置１００側の階調特性と映像表示装置２００側の適正に設定された階調特性との差異を示すデータである。補正データ生成部２６３は、タイミング生成部２６１からのレベル設定期間信号において補正データの生成処理が示されるとき、このような誤差データを用いて、変換映像信号の各映像データを、映像表示装置２００側の適正に設定された各階調レベルへと変換するような補正データを生成し、生成した補正データを補正データメモリ２５に格納する。また、タイミング生成部２６１からのレベル設定期間信号において信号レベル変換処理が示されるとき、補正部２４は、信号処理装置１００からの変換映像信号が供給されると、この変換映像信号の各映像データに対して、各映像データの階調レベルの応じた補正データを補正データメモリ２５から抽出し、各映像データに対してこの補正データによりデータ値の補正を行なう。補正部２４で補正された映像データで構成される映像信号は、補正映像信号としてＰＤＰ駆動部２８に供給される。
【００４０】
ＰＤＰ駆動部２８は、補正部２４からの補正映像信号をディスプレイを駆動するための表示駆動信号に変換し、ＰＤＰ駆動部２８から出力された表示駆動信号がＰＤＰ２９９に供給され、これによって、ＰＤＰ２９９には、映像信号補正部２１０からの補正映像信号に応じた映像が表示される。特に、本発明の実施の形態における映像表示システムは、上述したように、基準信号比較部２６２により、同一の標準映像信号の同一レベルに対する、信号処理装置１００側の階調特性と映像表示装置２００側の適正に設定された階調特性との差異を補正データとして抽出し、この補正データに基づいて、信号処理装置１００からの変換映像信号の階調レベルを補正しているため、信号処理装置１００における映像信号処理部１０１の信号処理により各階調レベルや階調数が変動しても、映像表示装置２００では、適正に設定された階調特性に基づき映像を表示することが可能となる。
【００４１】
上記のように構成された本発明の実施の形態１について、図２、図３、および図４を用いて以下その動作を説明する。
【００４２】
図２は、本実施の形態における映像表示システムの各タイミングを示した図である。図２（１）は、信号処理装置１００から出力される変換映像信号の波形の一例を示した図である。図２（２）は、映像表示装置２００におけるタイミング生成部２６１から出力される処理側基準信号抽出パルスの波形の一例を示した図である。図２（３）は、表示側基準信号生成部２２から出力される表示側基準信号の波形の一例を示した図である。図２（４）は、タイミング生成部２６１から出力されるレベル設定期間信号における補正データ生成タイミングパルスの波形の一例を示した図である。また、図２（５）は、補正部２４から出力される補正映像信号の波形の一例を示した図である。
【００４３】
また、図３は、信号処理装置１００、および映像表示装置２００における階調特性の一例を示した図である。
【００４４】
また、図４（ａ）は、表示側基準信号生成部２２で生成される表示側基準信号と変換映像信号に含まれる処理側基準信号との詳細を示す図である。図４（ｂ）は、補正データメモリ２５に格納した補正データの詳細を示す図である。
【００４５】
また、ここでは、信号入力インターフェイス１２２や受信部１２１からの映像信号の垂直ブランキング期間に処理側基準信号を挿入して映像信号処理部１０１に供給し、映像信号処理部１０１で処理されることにより、図２（１）で示すような変換映像信号が映像表示装置２００に供給される動作例を挙げる。また、信号処理装置１００の処理側基準信号生成部１１で生成される処理側基準信号、および映像表示装置２００の表示側基準信号生成部２２で生成される表示側基準信号として、最も暗い状態を示す黒レベルから最も明るい状態を示す白レベルまでの５段階のステップを有した標準輝度信号を例に挙げて説明する。
【００４６】
まず、信号処理装置１００からは、図２（１）で示すような変換映像信号が出力される。ここで、信号処理装置１００において、映像信号処理部１０１は、図３の点線で示すような、輝度レベルＹの変化に従って、信号処理装置階調特性Ｐ（Ｙ）のように階調レベルが変化する階調特性を有している。このため、表示側基準信号生成部２２で生成された表示側基準信号が映像信号処理部１０１により信号処理されると、この信号処理装置階調特性Ｐ（Ｙ）に従った階調レベルに変換される。すなわち、図３の信号処理装置階調特性Ｐ（Ｙ）に従って、例えば、表示側基準信号の最も暗い状態を示す黒レベルは、変換映像信号の映像データとして数値ｘ１の階調レベルに、また表示側基準信号の最も明るい状態を示す１００％白レベルは、変換映像信号の映像データとして数値ｘ３の階調レベルに設定される。これにより、信号処理装置１００からは、図２（１）で示すような、黒レベルとする数値ｘ１から白レベルとする数値ｘ３までの範囲で映像信号の輝度レベルが示される映像信号が処理側基準信号Ｐ（ｔ）を含めた変換映像信号として出力される。この変換映像信号は、接続ケーブル１５０を介して映像表示装置２００に供給される。
【００４７】
次に、映像表示装置２００において、基準信号抽出部２１は、図２（２）で示すような処理側基準信号抽出パルスに従って、処理側基準信号Ｐ（ｔ）を含めた変換映像信号から処理側基準信号Ｐ（ｔ）を抽出する。
【００４８】
また、表示側基準信号生成部２２は、基準信号抽出部２１が処理側基準信号Ｐ（ｔ）を抽出するタイミングに同期して、図２（３）で示すような表示側基準信号を出力する。ここで、表示側基準信号生成部２２は、図３の実線で示すような映像表示装置階調特性Ｄ（Ｙ）を有している。このため、表示側基準信号生成部２２からは、この映像表示装置階調特性Ｄ（Ｙ）に従った階調レベルの表示側基準信号が出力される。すなわち、図３の映像表示装置階調特性Ｄ（Ｙ）に従って、例えば、表示側基準信号の最も暗い状態を示す黒レベルは数値ｘ０の階調レベルに、また最も明るい状態を示す１００％白レベルは数値ｘ４の階調レベルに設定される。表示側基準信号生成部２２からは、図２（３）で示すような、黒レベルとする数値ｘ０から白レベルとする数値ｘ４までの範囲で、時間ｔの経過に伴なって輝度レベルが段階的に増加する表示側基準信号Ｄ（ｔ）が出力される。なお、上述したように、映像表示装置２００では、このような映像表示装置階調特性Ｄ（Ｙ）の映像信号に対して、最も適正にＰＤＰ２９９から映像が表示されるように、例えば、ＰＤＰ駆動部２８などが設定されている。
【００４９】
次に、基準信号比較部２６２には、図４（ａ）で示すように、時間ｔの経過に伴なって輝度レベルが段階的に増加する処理側基準信号Ｐ（ｔ）と表示側基準信号Ｄ（ｔ）とが供給される。ここでは、黒レベルから白レベルまでの５段階のステップを有したそれぞれの基準信号を例に挙げており、このような場合、基準信号比較部２６２は、処理側基準信号Ｐ（ｔ）と表示側基準信号Ｄ（ｔ）とにおける各ステップごとの階調レベルを抽出して、各ステップごとの階調レベル差を演算する。例えば、図４（ａ）に示すように、時間ｔがＴ０からＴ１までの期間において、基準信号比較部２６２は、処理側基準信号Ｐ（ｔ）と表示側基準信号Ｄ（ｔ）との黒レベルにおける階調レベル差を演算し、この階調レベル差ｄ０を黒レベルにおける誤差データとする。同様に、基準信号比較部２６２は、各ステップごとの階調レベル差ｄ１、ｄ２、ｄ３、ｄ４を算出する。基準信号比較部２６２は、このようにして算出した階調レベル差を誤差データとして補正データ生成部２６３に通知する。
【００５０】
次に、基準信号比較部２６２で算出された誤差データは、補正データ生成部２６３に通知される。補正データ生成部２６３は、このような誤差データを用いて、変換映像信号の各映像データを、映像表示装置２００側の適正に設定された各階調レベルへと変換するような補正データを生成する。補正データは、変換映像信号の階調レベルを映像表示装置２００側の適正に設定された階調レベルへと変換するためのデータである。すなわち、例えば、映像表示装置２００側の適正に設定された黒レベルは、図３で示したように、数値ｘ０とする階調レベルである。一方、変換映像信号における黒レベルは、図３で示したように、数値ｘ１とする階調レベルである。また、図４（ａ）で示したように、黒レベルにおける誤差データｄ０は、適正に設定された黒レベルの数値ｘ０と変換映像信号における黒レベルｘ１との差に相当する。よって、変換映像信号における黒レベルを、映像表示装置２００において適正に設定された黒レベルへと補正する場合、変換映像信号における黒レベルの数値ｘ１に対して、誤差データｄ０、すなわち数値（ｘ０−ｘ１）を加算することで適正に設定された黒レベルへと補正できる。なお、ここで示す例では、補正データ生成部２６３には、黒レベルから白レベルまでの５段階のステップに対応した誤差データのみが通知されるため、５段階のステップの階調レベル以外については、誤差データを実測することができない。このため、補正データ生成部２６３は、実測した誤差データ間における誤差データについては、例えば、線形補間演算を行なって未実測の誤差データを算出し、補正データとしている。図４（ｂ）は、このようにして補正データ生成部２６３が算出した補正データの一例を示している。補正データ生成部２６３は、図４（ｂ）に示すような補正データを補正データメモリ２５に格納する。
【００５１】
このようにして、図２（４）で示す補正データ生成タイミングパルス期間において、補正データが生成され、補正データメモリ２５に格納される。この後、図２（１）で示すように、映像期間ごとにＰＤＰ２９９により表示するための映像に対応した変換映像信号が映像表示装置２００に供給され、映像表示装置２００において、変換映像信号が補正部２４に供給される。補正部２４は、補正データメモリ２５に格納された補正データを利用して、変換映像信号の階調レベルを適正に設定された階調レベルへと補正する。例えば、変換映像信号の映像データが数値ｘ１の階調レベルである場合には、補正部２４は、補正データメモリ２５から、映像データの数値ｘ１に対応した補正データの数値−ｄ０を抽出し、映像データの数値ｘ１に補正データの数値−ｄ０を加算することで、黒レベルである変換映像信号の補正を行なう。また、例えば、変換映像信号の映像データが数値ｘ３の階調レベルである場合には、補正部２４は、補正データメモリ２５から、映像データの数値ｘ３に対応した補正データの数値ｄ４を抽出し、映像データの数値ｘ３に補正データの数値ｄ４を加算することで、白レベルである変換映像信号の補正を行なう。これにより、補正部２４からは、図２（５）で示すように、映像表示装置２００側の適正に設定された映像表示装置階調特性Ｄ（Ｙ）に対応する補正映像信号が出力される。
【００５２】
ＰＤＰ駆動部２８には、適正に設定された映像表示装置階調特性Ｄ（Ｙ）の補正映像信号が供給され、ＰＤＰ駆動部２８は、このような補正映像信号に基づく表示駆動信号でＰＤＰ２９９を駆動する。このため、ＰＤＰ２９９からは、信号処理装置１００の処理内容やばらつきなどの影響を抑制した、最適な状態で映像を表示することが可能となる。特に、本発明の実施の形態１の映像表示装置２００は、乗算器を用いてゲインを補正したり、加算器を用いてオフセットを補正するような手法ではなく、各階調レベルに対してその階調レベルに応じた補正データを加算するような手法であるため、ゲイン、およびオフセットの双方を補正できるとともに、以下で説明するような非線形特性を有した補正なども可能である。
【００５３】
以上、処理側基準信号、および表示側基準信号としての標準映像信号が５段階のステップを有した輝度信号である一例を挙げて説明したが、他の標準映像信号であってもよい。図５（ａ）は、標準映像信号の一つであるランプ信号に基づいた、表示側基準信号生成部２２で生成される表示側基準信号Ｄ（ｔ）と変換映像信号に含まれる処理側基準信号Ｐ（ｔ）との詳細を示す図である。図５（ａ）で示すように、ランプ信号は、時間ｔの経過に伴なって輝度レベルが単調増加するような信号である。このようなレベルが単調増加する信号をそれぞれの基準信号として利用することにより、基準信号比較部２６２において、変換映像信号の各階調レベルに対する誤差データを算出することができる。すなわち、変換映像信号が、例えば、２００階調数の階調レベルで表現される場合、各階調レベルに対応する２００個の誤差データが実測できる。図５（ｂ）は、このようなランプ信号を利用して算出した誤差データに基づいて生成した補正データの詳細を示す図である。特に、上述した５段階のステップを有した輝度信号を利用した場合では、実測した誤差データに基づく補正データ以外の補正データについては線形補間により算出した例を挙げて説明したが、図５（ｂ）に示すように、このようなランプ信号を利用することで、実測値に基づいた各階調レベルに対する補正データを生成することができる。これにより、補正データの精度を上げることができ、補正部２４においてより適正に変換映像信号の階調レベルを補正することができる。また、補正データは実測値に基づいているため、例えば、映像信号処理部１０１が非線形な階調特性を有していたり、表示側基準信号生成部２２からの表示側基準信号が非線形である場合でも、補正部２４において適正に変換映像信号の階調レベルを補正することができる。
【００５４】
図６は、本発明の実施の形態１における映像表示装置２００のより具体的な構成例を示すブロック図である。図６に示す映像表示装置２００は、ＣＰＵ（Ｃｅｎｔｒａｌ  Ｐｒｏｃｅｓｓｉｎｇ  Ｕｎｉｔ）を含むマイコン２６を備えている。マイコン２６は、マイコン処理用メモリ２６９に記憶されたプログラムを順次読み取り、読み取ったプログラムに従って処理を実行する。図６では、マイコン２６が装置における各処理を制御統括する制御部として機能するとともに、マイコン処理用メモリ２６９には、タイミング生成部として機能するタイミング生成処理、処理側基準信号および表示側基準信号における階調レベルを比較する基準信号比較部として機能する基準信号比較処理、および補正データを生成するための補正データ生成処理を実行するためのプログラムが格納されており、マイコン２６がマイコン処理用メモリ２６９に格納されたこれら処理のプログラムを読み取り、実行することで、これらの処理を行なうような構成例を示している。
【００５５】
図６において、同期信号抽出部２３は、信号処理装置１００から供給された変換映像信号に含まれる同期信号や同期用のパルスなどを抽出する。抽出された同期信号や同期用のパルスなどは、マイコン２６に送出される。マイコン２６は、タイミング生成処理を実行し、受け取った同期信号や同期用のパルスから各種タイミング信号を生成する。マイコン２６のタイミング生成処理により、変換映像信号に含まれる同期信号から、変換映像信号に含まれる処理側基準信号の期間を示す処理側基準信号抽出パルスが生成され、基準信号抽出部２１に出力される。また、マイコン２６のタイミング生成処理により、補正データを生成するためのタイミング信号や、補正データメモリ２５に記録するためのタイミング信号が生成される。
【００５６】
基準信号抽出部２１は、マイコン２６からの図２（２）で示したような処理側基準信号抽出パルスに従って、変換映像信号から処理側基準信号Ｐ（ｔ）を抽出する。また、表示側基準信号生成部２２は、基準信号抽出部２１が処理側基準信号Ｐ（ｔ）を抽出するタイミングに同期して、図２（３）で示したような表示側基準信号Ｄ（ｔ）を出力する。これらの処理側基準信号Ｐ（ｔ）と表示側基準信号Ｄ（ｔ）とは、マイコン２６に供給される。マイコン２６は、基準信号比較処理を実行し、受け取った処理側基準信号Ｐ（ｔ）と表示側基準信号Ｄ（ｔ）との階調レベル差を演算し、誤差データとして補正データ生成処理に送出する。次に、マイコン２６は、補正データ生成処理を実行する。
【００５７】
補正データ生成処理では、処理側基準信号Ｐ（ｔ）の各階調レベルに対応づけて、受け取った誤差データから補正データを生成する。さらに、補正データ生成処理では、補正データメモリ２５に対して、処理側基準信号Ｐ（ｔ）の各階調レベルに対応した書込アドレスに、各階調レベルに対応づけた補正データを書込データとして記録する。このようにして、図２（４）で示した補正データ生成タイミングパルス期間において、補正データが生成され、補正データメモリ２５に格納される。この後、図２（１）で示したように、映像期間ごとにＰＤＰ２９９により表示するための映像に対応した変換映像信号が映像表示装置２００に供給され、映像表示装置２００において、変換映像信号が、補正部２４に供給される。補正部２４は、補正データメモリ２５に格納された補正データを利用して、変換映像信号の階調レベルを適正に設定された階調レベルへと補正する。
【００５８】
図６に示すように、補正部２４は、加算演算を行なう加算器２４３を有している。加算器２４３には、変換映像信号と補正データメモリ２５から読み出した読出データとが供給される。また、変換映像信号は、補正データメモリ２５の読出アドレスにも供給される。このような構成により、変換映像信号において、例えば、数値ｘｎの階調レベルである映像データが供給されると、補正データメモリ２５のアドレスｘｎに格納された補正データｄ（ｘｎ）が読み出される。上述したように、補正データメモリ２５には、各階調レベルに対応したアドレスにその階調レベルに対応づけた補正データが格納されている。すなわち、例えば、補正データメモリ２５のアドレスｘｎには、処理側基準信号Ｐ（ｔ）、および表示側基準信号Ｄ（ｔ）を利用して生成した階調レベルｘｎの変換映像信号に最適な補正データｄ（ｘｎ）が格納されている。このような階調レベルｘｎである映像データに対して、補正データメモリ２５から補正データｄ（ｘｎ）が読み出され、補正部２４の加算器２４３により、階調レベルｘｎである映像データに補正データｄ（ｘｎ）が加算され、その加算結果ｘｎ＋ｄ（ｘｎ）が出力される。このような処理が、変換映像信号の各映像データに対して実行されることで、補正部２４からは、映像表示装置２００側の適正に設定された映像表示装置階調特性Ｄ（Ｙ）に対応する補正映像信号が出力される。
【００５９】
図７は、本発明の実施の形態１における映像表示装置２００のより具体的な他の構成例を示すブロック図である。図６で説明した映像表示装置２００は、変換映像信号に対する補正データを補正データメモリ２５とするメモリに格納し、補正データメモリ２５に格納した補正データを変換映像信号に加算するような構成である。これに対し、図７に示す映像表示装置２０１は、変換映像信号に対する変換データを変換データメモリ２５１とするメモリに格納し、変換データメモリ２５１を有した補正部２４１から変換映像信号に対する補正映像信号を直接読み出し、出力するような構成である。また、このような処理を実行するため、マイコン２６５は、このような変換データを生成するための補正変換データ生成処理を実行する。すなわち、補正変換データ生成処理が実行されると、処理側基準信号Ｐ（ｔ）の各階調レベルに対応づけて、その階調レベルと受け取った誤差データとを用いて変換データを生成する。さらに、補正変換データ生成処理では、変換データメモリ２５１に対して、処理側基準信号Ｐ（ｔ）の各階調レベルに対応した書込アドレスに、各階調レベルに対応づけた変換データを書込データとして記録する。例えば、処理側基準信号Ｐ（ｔ）の階調レベルが数値ｘの場合、変換データメモリ２５１の書込アドレスｘに、階調レベルｘとその階調レベルｘに対応した誤差データｄ（ｘ）の加算値ｘ＋ｄ（ｘ）を書込データとして格納する。このような構成により、変換映像信号において、例えば、数値ｘｎの階調レベルである映像データが供給されると、変換データメモリ２５１のアドレスｘｎに格納された変換データｘｎ＋ｄ（ｘｎ）が読み出される。すなわち、変換データメモリ２５１からは、補正データにより補正済みのデータが読み出されることとなり、このような構成によっても、補正部２４１からは、映像表示装置２０１側の適正に設定された映像表示装置階調特性Ｄ（Ｙ）に対応する補正映像信号が出力される。
【００６０】
（実施の形態２）
図８は、本発明の実施の形態２における映像表示システムの構成を示すブロック図である。
【００６１】
本実施の形態でも、映像信号に対して信号処理を施し、信号処理された映像信号を変換映像信号として出力する信号処理装置１００と、変換映像信号が供給され、変換映像信号に対して映像表示処理を施すことで、映像を表示するディスプレイを駆動するための表示駆動信号を生成する映像表示装置２０２と、信号処理装置１００から映像表示装置２０２に対して変換映像信号を伝送する接続ケーブル１５０とを有した映像表示システムの一例を挙げて説明する。また、図１と同一の構成要素については、同一の符号を付しており、これらの詳細な説明は省略する。以下、図８を参照しながら、本実施の形態の構成、およびその動作について説明する。
【００６２】
本実施の形態の映像表示システムは、映像表示装置２０２において、製造時などあらかじめ、所定の標準映像信号に対して映像表示装置２０２が適正に動作する状態でのデータを測定し、記憶している。また、信号処理装置１００と映像表示装置２０２とを接続したとき、信号処理装置１００から処理側基準信号を映像表示装置２０２に供給し、このとき、補正を行なわない状態での映像表示装置２０２の動作に関するデータを測定し、記憶する。さらに、映像表示装置２０２が適正に動作する状態でのデータと、処理側基準信号に対する補正を行なわない状態での動作に関するデータとに基づき補正データを生成し、この補正データを利用して、信号処理装置１００からの映像表示するための変換映像信号の階調レベルを補正するような構成であることを特徴としている。
【００６３】
図８において、実施の形態１と同様に、信号処理装置１００からは、処理側基準信号を含む映像信号に対して信号のレベル変換を伴なったデジタル信号処理を施した映像信号である変換映像信号が出力される。信号処理装置１００から出力された変換映像信号は、接続ケーブル１５０を介して、映像表示装置２０２に供給される。
【００６４】
また、映像表示装置２０２において、タイミング生成部２６１は、信号処理装置１００から供給された変換映像信号に含まれる同期信号や同期用のパルスなどを抽出し、各処理を実行するためのタイミング信号を生成する。タイミング生成部２６１は、基準信号抽出部２１に対して、変換映像信号に含まれる処理側基準信号の期間を示す処理側基準信号抽出パルスを生成し基準信号抽出部２１に出力する。
【００６５】
基準信号抽出部２１は、タイミング生成部２６１からの処理側基準信号抽出パルスが処理側基準信号の供給期間であることを示すとき、信号処理装置１００から供給された変換映像信号に含まれる処理側基準信号を抽出する。
【００６６】
セレクタ２３１は、次に説明する制御部２６８の指示に従って、基準信号抽出部２１からの処理側基準信号と補正部２４からの補正映像信号とのいずれかを選択する。
【００６７】
制御部２６８は、セレクタ２３１の信号選択を制御するセレクト信号、および補正データの生成を制御するための信号を生成し、セレクタ２３１や以下で説明する補正データ生成部２６４を制御する。
【００６８】
セレクタ２３１で選択された信号は、ＰＤＰ駆動部２８に供給される。ＰＤＰ駆動部２８は、供給された信号をディスプレイを駆動するための表示駆動信号に変換し、ＰＤＰ駆動部２８から出力された表示駆動信号がＰＤＰ２９９に供給される。
【００６９】
ところで、ＰＤＰ２９９は、２値表示が基本であるため多階調の映像を表示する場合、ＰＤＰ駆動部２８は、映像信号の１フィールド分を複数のサブフィールドに分割し、それぞれのサブフィールドに所定の輝度重みをもたせている。こうした輝度の重みづけによって、ＰＤＰ駆動部２８は、各サブフィールド毎の発光をオン制御またはオフ制御するサブフィールド信号に変換して階調表示を行なう。すなわち、ＰＤＰ駆動部２８から出力される表示駆動信号は、映像信号のレベルに応じたパルス数のパルス信号である。
【００７０】
パルス数検出部２８１は、ＰＤＰ駆動部２８から出力される表示駆動信号のパルス数を計測する。さらに、パルス数検出部２８１は、計測したパルス数に関するデータをメモリ２７に、計測パルス数データとして格納する。
【００７１】
また、メモリ２７には、製造時などあらかじめ、所定の標準映像信号に対して映像表示装置２０２が適正に動作するよう補正データメモリ２５に補正データを設定し、このような状態でＰＤＰ駆動部２８から出力される表示駆動信号のパルス数を計測したパルス数に関するデータが、基準パルス数データとして格納されている。
【００７２】
補正データ生成部２６４は、制御部２６８から補正データを生成するよう指示されると、メモリ２７に格納された基準パルス数データ、および計測パルス数データを用い、映像信号の各輝度レベルにおけるパルス数の差分に基づいて補正データを生成する。補正データ生成部２６４は、生成した補正データを補正データメモリ２５に格納する。また、補正部２４は、信号処理装置１００からの変換映像信号が供給されると、この変換映像信号の各映像データに対して、各映像データの階調レベルに応じた補正データを補正データメモリ２５から抽出し、各映像データに対してこの補正データによりデータ値の補正を行なう。補正部２４で補正された映像データで構成される映像信号は、セレクタ２３１を介して補正映像信号としてＰＤＰ駆動部２８に供給される。
【００７３】
上記のように構成された本発明の実施の形態２について、図９、および図１０を用いて以下その動作を説明する。
【００７４】
図９は、実施の形態２における各手順の特性例を示す図である。図９（ａ）は、補正部２４で階調レベルの補正を行なわない場合の各特性を示す図である。図９（ｂ）は、基準パルス数データを生成するときの各特性を示す図である。また、図９（ｃ）は、計測パルス数データを生成するときの各特性を示す図である。また、図１０は、補正データ生成部２６４で補正データを生成するときの各特性を示す図である。図１０（ａ）は、補正データ生成部２６４で比較する基準パルス数データと計測パルス数データとの関係を示す図である。図１０（ｂ）は、補正部２４の補正変換特性を示す図である。
【００７５】
まず、図９（ａ）、および図９（ｂ）を参照して、製造時などあらかじめ、所定の標準映像信号に対して映像表示装置２０２が適正に動作するよう補正データメモリ２５に補正データを設定し、このような状態での基準パルス数データを取得し、メモリ２７に記録する手順について説明する。
【００７６】
図９（ａ）は、補正部２４で補正を行なわない場合の、ＰＤＰ駆動部２８の入出力特性を含めた映像表示装置２０２の入力値に対するパルス数の駆動特性Ｏ（ｘ）を示している。ここでは、映像表示装置２０２の駆動特性が非線形特性を有したような例を挙げている。すなわち、補正部２４で補正を行なわない状態で、映像表示装置２０２の入力端子１５２に入力値ｘとする階調レベルの信号が供給されると、ＰＤＰ駆動部２８からは、駆動特性Ｏ（ｘ）に従った単位時間あたりパルス数ｐの駆動信号が出力される。
【００７７】
図９（ｂ）は、製造時などにおいて、映像表示装置２０２に対し、このような駆動特性Ｏ（ｘ）に対する補正を行ない、ＰＤＰ２９９が最も適正に表示できように設定するときの状態を示している。すなわち、映像表示装置２０２の入力端子１５２には、標準映像信号として知られるカラーバー信号やランプ信号など、標準輝度、あるいは標準彩度に対応した一つ以上の階調レベルを含む映像信号が供給される。図９では、映像信号における輝度信号の一例を挙げており、また、このような標準映像信号として、輝度レベルが最も暗い状態を示す黒レベルから最も明るい状態を示す白レベルまで単調増加するようなランプ信号を利用した一例を挙げている。なお、入力端子１５２に標準映像信号を入力するのに代えて、実施の形態１のように表示側基準信号生成部２２を備え、これにより標準映像信号を入力端子１５２に供給するような形態でもよい。映像表示装置２０２は、このような標準映像信号が供給された状態で、ＰＤＰ２９９が最も適正に表示できるように、入力端子１５２に供給された標準映像信号の各階調レベルに対して、その階調レベルの補正処理が行なわれる。例えば、ＰＤＰ２９９にランプ信号が表示された状態で、各階調レベルに対応するＰＤＰ２９９上の表示箇所の輝度を測定し、この輝度が最適となるように、補正データメモリ２５の補正データを設定する。このようにして、映像表示装置２０２は、ＰＤＰ２９９が最も適正に表示できる状態へと補正される。このような映像表示装置２０２の適正な状態への設定が完了すると、この適正な状態で、例えば、パルス数検出部２８１を利用して、ＰＤＰ駆動部２８から出力される表示駆動信号のパルス数を計測する。このとき、入力端子１５２への入力値ｘを階調レベルとし、階調レベルと輝度レベルＹとを対応づけながら、各階調レベルに対するパルス数を計測し、その計測結果を基準パルス数データとしてメモリ２７に記録する。図９（ｂ）に、入力値ｘ、すなわち各階調レベルに対するパルス数ｐの関係を示す基準パルス数特性Ｓ（ｘ）の一例を示す。以上のようにして、製造時などにおいて、ＰＤＰ２９９が最も適正に表示できる状態での、入力値ｘに対するパルス数ｐの特性である基準パルス数特性Ｓ（ｘ）が測定され、記録される。
【００７８】
次に、図９（ｃ）を参照して、映像表示装置２０２が実際に使用される場合の動作について説明する。
【００７９】
本実施の形態の映像表示システムの動作が開始されると、実施の形態１と同様に、信号処理装置１００からは、変換映像信号に含まれる処理側基準信号が、電源起動時や垂直ブランキング期間など所定のタイミングで映像表示装置２０２に供給される。このとき、信号処理装置１００では、処理側基準信号生成部１１などにより、上述した基準パルス数特性Ｓ（ｘ）を測定したときと同一の標準映像信号が生成され、さらに映像信号処理部１０１により信号処理されて、信号処理装置１００からは、信号処理された標準映像信号である処理側基準信号が出力される。すなわち、図９（ｃ）に示す例のように、黒や白の輝度レベルに対する階調レベルが、基準パルス数特性Ｓ（ｘ）の測定時とは異なった、ランプ信号が映像表示装置２０２の入力端子１５２に供給される。
【００８０】
映像表示装置２０２において、基準信号抽出部２１は、タイミング生成部２６１からの処理側基準信号抽出パルスに応答して、変換映像信号に含まれる処理側基準信号を抽出し、抽出した処理側基準信号をセレクタ２３１に供給する。このとき、制御部２６８は、セレクタ２３１に対してセレクト信号を送出し、処理側基準信号を選択するようセレクタ２３１を制御する。このようにして、信号処理装置１００から処理側基準信号が供給されると、処理側基準信号は補正部２４を介さない状態でＰＤＰ駆動部２８に供給される。図９（ｃ）は、映像表示装置２０２のこのような状態を示しており、このような設定状態で計測パルス数データが計測される。
【００８１】
すなわち、処理側基準信号に対しての補正を行なわない状態で、パルス数検出部２８１は、ＰＤＰ駆動部２８から出力される表示駆動信号のパルス数を計測する。このとき、入力端子１５２への入力値ｘを階調レベルとし、階調レベルと輝度レベルＹとを対応づけながら、各階調レベルに対するパルス数が計測され、パルス数検出部２８１は、その計測結果を計測パルス数データとしてメモリ２７に記録する。図９（ｃ）に、入力値ｘ、すなわち各階調レベルに対するパルス数ｐの関係を示す計測パルス数特性Ｕ（ｘ）の一例を示す。以上のようにして、処理側基準信号に対しての補正を行なわない状態での、入力値ｘに対するパルス数ｐの特性である計測パルス数特性Ｕ（ｘ）が測定され、記録される。
【００８２】
以上のようにして計測パルス数データの記録が完了した後、制御部２６８は、補正データ生成部２６４に対して、補正データを生成するよう指示する。補正データ生成部２６４は、メモリ２７に格納された基準パルス数データ、および計測パルス数データを用い、映像信号の各輝度レベルにおけるパルス数の差分に基づいて補正データを生成する。すなわち、図１０（ａ）に示すように、補正データ生成部２６４は、まず、入力値ｘに対するパルス数ｐの特性である基準パルス数特性Ｓ（ｘ）、および計測パルス数特性Ｕ（ｘ）に基づき、輝度レベルＹに対するパルス数ｐの特性である基準パルス数特性Ｓ（Ｙ）、および計測パルス数特性Ｕ（Ｙ）に各パルス数データを変換する。言い換えれば、例えば、輝度レベルＹが黒レベルＹｂとしたとき、ＰＤＰ２９９が最も適正に表示できる状態でのパルス数ｐは、基準パルス数特性Ｓ（Ｙｂ）からパルス数Ｐ０であり、一方、処理側基準信号に対しての補正を行なわない状態でのパルス数ｐは、計測パルス数特性Ｕ（Ｙｂ）からパルス数Ｐ１となる。また、例えば、輝度レベルＹが白レベルＹｗとしたとき、ＰＤＰ２９９が最も適正に表示できる状態でのパルス数ｐは、基準パルス数特性Ｓ（Ｙｗ）からパルス数Ｐ４であり、一方、処理側基準信号に対しての補正を行なわない状態でのパルス数ｐは、計測パルス数特性Ｕ（Ｙｗ）からパルス数Ｐ３となる。
【００８３】
さらに、補正データ生成部２６４は、輝度レベルＹに階調レベルを対応づけながら、基準パルス数特性Ｓ（Ｙ）、および計測パルス数特性Ｕ（Ｙ）に対応した各輝度レベルにおけるパルス数データの比較を行ない、比較結果である差分を誤差データｄｐとする。すなわち、例えば、輝度レベルＹが黒レベルＹｂのとき、補正データ生成部２６４は、黒レベルＹｂである処理側基準信号の階調レベルｘ１に対する誤差データｄｐ（ｘ１）を求める。この場合、誤差データｄｐ（ｘ１）は、パルス数Ｐ０とパルス数Ｐ１との差となる。さらに、補正データ生成部２６４は、誤差データｄｐに対応した補正データｄ（ｘ）を生成し、補正データメモリ２５に格納する。この後、制御部２６８が、セレクタ２３１に対して、補正部２４からの補正映像信号を選択するようセレクタ２３１を制御する。
【００８４】
このようにして、補正データメモリ２５には、変換映像信号の階調レベルｘに対応した補正データｄ（ｘ）が設定され、例えば、実施の形態１で示した図２（１）と同様に、映像期間ごとにＰＤＰ２９９により表示するための映像に対応した変換映像信号が映像表示装置２０２に供給され、映像表示装置２０２において、この変換映像信号が、補正部２４に供給される。補正部２４は、補正データメモリ２５に格納された補正データを利用して、図１０（ｂ）で示す補正変換特性のように、変換映像信号の階調レベルを適正に設定された階調レベルへと補正する。例えば、変換映像信号の映像データが数値ｘ１の階調レベルである場合には、補正部２４は、補正データメモリ２５から、映像データの数値ｘ１に対応した補正データの数値ｄ（ｘ１）を抽出し、映像データの数値ｘ１にこの補正データの数値ｄ（ｘ１）を加算することで、適正な黒レベルである映像データの数値ｘ０へと、変換映像信号の補正を行なう。
【００８５】
図１１は、本発明の実施の形態２における映像表示装置２０２のより具体的な構成例を示すブロック図である。実施の形態１における図６、または図７と同一の構成要素については、同一の符号を付しており、これらの詳細な説明は省略する。
【００８６】
図１１に示す映像表示装置２０２は、実施の形態１における図６や図７で示した構成と同様にマイコン２６６を備えている。また、マイコン２６６を実行させるための処理プログラムが、メモリ２７に格納された構成である。マイコン２６６は、メモリ２７に格納された処理プログラムを読み取り、読み取ったプログラムに従って処理を実行する。図１１では、マイコン２６６が装置における各処理を制御統括するとともに、メモリ２７には、タイミング生成部として機能するタイミング生成処理、補正データ生成部として機能する比較処理および補正変換データ生成処理、およびセレクタ２３１やパルス数検出部２８１を制御する駆動データ取込処理を実行するためのプログラムが格納されており、マイコン２６６がメモリ２７に格納されたこれら処理プログラムを読み取り、実行することで、これらの処理を行なうような構成例を示している。
【００８７】
また、図１１に示す映像表示装置２０２は、実施の形態１の図７と同様に、変換映像信号に対する変換データを変換データメモリ２５２とするメモリに格納し、変換データメモリ２５２を有した補正部２４２から変換映像信号に対する補正映像信号を、図１０（ｂ）に示すような補正変換特性に対応して直接読み出し、出力するような構成である。また、このような処理を実行するため、マイコン２６６は、このような変換データを生成するための補正変換データ生成処理を実行する。すなわち、補正変換データ生成処理が実行されると、処理側基準信号の各階調レベルに対応づけて、その階調レベルと受け取った誤差データとを用いて変換データを生成する。さらに、補正変換データ生成処理では、変換データメモリ２５２に対して、処理側基準信号の各階調レベルに対応した書込アドレスに、各階調レベルに対応づけた変換データを書込データとして記録する。このようにして、補正部２４２からは、適正な階調レベルに補正された映像信号である補正映像信号が出力される。
【産業上の利用可能性】
【００８８】
本発明の映像表示システム、映像表示装置、および映像表示方法は、信号処理装置と映像表示装置との接続関係が換わっても、簡易に信号レベルが補正できるので産業上の利用可能性は極めて高く、例えば、プラズマディスプレイ標準装置や液晶表示装置などに利用できる。
【図面の簡単な説明】
【００８９】
【図１】本発明の実施の形態１における映像表示システムの構成を示すブロック図
【図２】本発明の実施の形態１における映像表示システムのタイミングを示した図
【図３】信号処理装置、および映像表示装置における階調特性の一例を示した図
【図４】（ａ）は、表示側基準信号と処理側基準信号との詳細を示す図（ｂ）は、補正データメモリに格納した補正データの詳細を示す図
【図５】（ａ）は、標準映像信号の一つであるランプ信号に基づいた、表示側基準信号と処理側基準信号との詳細を示す図（ｂ）は、ランプ信号を利用して生成した補正データの詳細を示す図
【図６】本発明の実施の形態１における映像表示装置の具体的な構成例を示すブロック図
【図７】本発明の実施の形態１における映像表示装置の他の具体的な構成例を示すブロック図
【図８】本発明の実施の形態２における映像表示システムの構成を示すブロック図
【図９】本発明の実施の形態２における映像表示システムの各手順の特性例を示す図
【図１０】補正データ生成部で補正データを生成するときの各特性を示す図
【図１１】本発明の実施の形態２における映像表示装置の具体的な構成例を示すブロック図
【図１２】従来の映像表示システムの構成を示すブロック図
【符号の説明】
【００９０】
１１    処理側基準信号生成部
１２    映像信号供給部
２１    基準信号抽出部
２２    表示側基準信号生成部
２３    同期信号抽出部
２４，２４１，２４２    補正部
２５    補正データメモリ
２６，２６５，２６６    マイコン
２７，９１４，９２４    メモリ
２８    ＰＤＰ駆動部
１００，９１０    信号処理装置
１０１，９１７    映像信号処理部
１２１    受信部
１２２    信号入力インターフェイス
１５０，９５０    接続ケーブル
１５２    入力端子
２００，２０１，２０２，９２０    映像表示装置
２１０    映像信号補正部
２３１    セレクタ
２４３    加算器
２５１，２５２    変換データメモリ
２６１    タイミング生成部
２６２    基準信号比較部
２６３，２６４    補正データ生成部
２６８    制御部
２６９    マイコン処理用メモリ
２８１    パルス数検出部
２９９，９２２    ＰＤＰ
９１３    メインマイコン
９１５    ＡＤコンバータ
９１６    ＴＭＤＳ受信回路
９２１    ＰＤＰドライバ
９２３    サブマイコン
【図１】
2006317858.tif 000003
【図２】
2006317858.tif 000004
【図３】
2006317858.tif 000005
【図４】
2006317858.tif 000006
【図５】
2006317858.tif 000007
【図６】
2006317858.tif 000008
【図７】
2006317858.tif 000009
【図８】
2006317858.tif 000010
【図９】
2006317858.tif 000011
【図１０】
2006317858.tif 000012
【図１１】
2006317858.tif 000013
【図１２】
2006317858.tif 000014